(57)【要約】【課題】既設の汽水ドラムを撤去せずに必要な容量の汽水ドラムを増設でき、配管によってボイラに接続される汽水ドラムの容量を簡易に増加できること。【解決手段】この発明にかかるボイラシステム１００は、溶融炉１によって供給された熱源を用いて蒸気を生成するボイラ２と、配管によってボイラ２に対して並列に接続され、蒸気と水とがそれぞれ供給される複数の汽水ドラム１１，１２と、を備える。汽水ドラム１１は、ボイラ２に既に接続されていた既設の汽水ドラムであり、汽水ドラム１２は、このボイラ２に対して追加接続された追加の汽水ドラムである。かかる汽水ドラム１１，１２は、連通管２０によって各内部の気相空間を互いに連通させるとともに、連通管２１によって各内部の液相空間を互いに連通させる。【選択図】        図１
2007232238.tif 000002
【特許請求の範囲】
【請求項１】
熱源からの熱を吸収した汽水混合物を出力するボイラと、
前記ボイラによって出力された前記汽水混合物を蒸気と水とに分離し、前記蒸気の一部を出力するとともに、前記水を前記ボイラに再入力させる複数のドラムと、
前記複数のドラム内部の気相空間を互いに連通する気相連通管と、
前記複数のドラム内部の液相空間を互いに連通する液相連通管と、
前記複数のドラムの各ドラムに分岐して接続され、前記各ドラムによってそれぞれ出力された前記蒸気を合流し外部に出力する蒸気出力管と、
前記複数のドラムの各ドラムに分岐して接続され、前記各ドラムに対して水を供給する給水管と、
を備えたことを特徴とするボイラシステム。
【請求項２】
前記複数のドラムのうちの一つは、前記ボイラに既に接続されていた既設ドラムであり、該既設ドラム以外の残りは、前記ボイラに追加接続された追加ドラムであり、
前記気相連通管および前記液相連通管は、前記既設ドラムと前記追加ドラムとに対して追加接続され、
前記蒸気出力管は、
前記既設ドラムによって出力された蒸気を外部に出力する既設蒸気出力管と、
前記既設蒸気出力管に対して追加接続され、前記既設蒸気出力管と前記追加ドラムとを連通する追加蒸気出力管と、
を備え、
前記給水管は、
前記既設ドラムに対して水を供給する既設給水管と、
前記既設給水管に対して追加接続され、前記既設給水管と前記追加ドラムとを連通する追加給水管と、
を備えたことを特徴とする請求項１に記載のボイラシステム。
【請求項３】
前記追加ドラムは、複数であり、
前記気相連通管および前記液相連通管は、前記既設ドラムおよび前記複数の追加ドラムを順次縦続に接続することを特徴とする請求項２に記載のボイラシステム。
【請求項４】
前記追加ドラムは、複数であり、
前記気相連通管および前記液相連通管は、前記既設ドラムを基準にして前記複数の追加ドラムを並行に接続することを特徴とする請求項２に記載のボイラシステム。
【請求項５】
前記複数のドラムは、鉛直高さを略同じにして設置されることを特徴とする請求項１〜４のいずれか一つに記載のボイラシステム。
【請求項６】
前記蒸気出力管は、前記既設蒸気出力管と前記追加蒸気出力管とを接合する接合部を備え、
前記給水管は、前記既設給水管と前記追加給水管とを接合する接合部を備えたことを特徴とする請求項２〜５のいずれか一つに記載のボイラシステム。
【請求項７】
前記既設ドラムは、
前記既設ドラム内部の気相空間に連通する既設気相連通管と、
前記既設ドラム内部の液相空間に連通する既設液相連通管と、
を予め備え、
前記気相連通管は、前記追加ドラム内部の気相空間に連通する追加気相連通管と前記既設気相連通管とを接合して形成され、
前記液相連通管は、前記追加ドラム内部の液相空間に連通する追加液相連通管と前記既設液相連通管とを接合して形成されることを特徴とする請求項２〜６のいずれか一つに記載のボイラシステム。
【請求項８】
前記気相連通管は、前記既設気相連通管と前記追加気相連通管とを接合する接合部を備え、
前記液相連通管は、前記既設液相連通管と前記追加液相連通管とを接合する接合部を備えたことを特徴とする請求項７に記載のボイラシステム。
【請求項９】
前記気相連通管、前記液相連通管、前記蒸気出力管、および前記給水管は、それぞれの前記接合部の下流側近傍に弁をそれぞれ備えたことを特徴とする請求項８に記載のボイラシステム。
【請求項１０】
前記給水管を流通する水の流量を調節する給水弁と、
前記複数のドラムのうちの一つのドラムの内部水位を検出する水位検出部と、
前記一つのドラムの内部水位をもとに前記給水弁の駆動を制御し、前記複数のドラムの内部水位を制御する制御部と、
を備えたことを特徴とする請求項１〜９のいずれか一つに記載のボイラシステム。
【請求項１１】
熱源からの熱を吸収した汽水混合物を出力するボイラと、
前記ボイラによって出力された前記汽水混合物を蒸気と水とに分離し、前記蒸気の一部を出力するとともに、前記水を前記ボイラに再入力させる複数のドラムと、
前記複数のドラムの各ドラムに分岐して接続され、前記各ドラムによってそれぞれ出力された前記蒸気を合流し外部に出力する蒸気出力管と、
前記複数のドラムの各ドラムに分岐して接続され、前記各ドラムに対して水を供給する給水管と、
前記各ドラムに供給される水の流量を前記ドラム毎に調節する複数の給水弁と、
前記各ドラムの内部水位を前記ドラム毎に検出する複数の水位検出部と、
前記各ドラムの内部水位をもとに前記複数の給水弁の各駆動をそれぞれ制御し、前記各ドラムの内部水位をそれぞれ制御する複数の制御部と、
を備えたことを特徴とするボイラシステム。
【請求項１２】
前記複数のドラムのうちの一つは、前記ボイラに既に接続されていた既設ドラムであり、該既設ドラム以外の残りは、前記ボイラに追加接続された追加ドラムであり、
前記気相連通管および前記液相連通管は、前記既設ドラムと前記追加ドラムとに対して追加接続され、
前記蒸気出力管は、
前記既設ドラムによって出力された蒸気を外部に出力する既設蒸気出力管と、
前記既設蒸気出力管に対して追加接続され、前記既設蒸気出力管と前記追加ドラムとを連通する追加蒸気出力管と、
を備え、
前記給水管は、
前記既設ドラムに対して水を供給する既設給水管と、
前記既設給水管に対して追加接続され、前記既設給水管と前記追加ドラムとを連通する追加給水管と、
を備えたことを特徴とする請求項１１に記載のボイラシステム。
【請求項１３】
前記追加ドラムは、前記既設ドラムに比して容量が小さいことを特徴とする請求項１〜１２のいずれか一つに記載のボイラシステム。
【発明の詳細な説明】
【技術分野】
【０００１】
この発明は、熱源を用いて蒸気を生成し、この生成した蒸気を工場または発電プラント等に出力するボイラシステムに関するものである。
【背景技術】
【０００２】
従来から、炉によって供給された熱源を用いて蒸気を生成し、この生成した蒸気を工場または発電プラント等に出力するボイラシステムが提案されている。ボイラシステムは、一般に、炉によって供給された熱源を用いて蒸気を生成するボイラと、このボイラによって生成された蒸気を取り出す汽水ドラムとを備えている。具体的には、ボイラは、内部に蒸発管を有し、この蒸発管内に水を流通させるとともに、炉によって供給された熱源を用いてこの蒸発管内の水を加熱し、蒸気を生成する。その後、ボイラは、生成した蒸気と水（熱水）との混合物である汽水混合物を汽水ドラムに出力する。汽水ドラムは、かかるボイラによって供給された汽水混合物を蒸気と水とに分離し、得られた蒸気を高圧力で出力するとともに、残りの水（熱水）と給水ポンプによって新たに供給された水とをこのボイラに戻す。すなわち、ボイラは、かかる汽水ドラムから供給された（あるいは戻された）水を加熱して蒸気を生成する。このようなボイラシステムによって生成出力された蒸気は、例えば工場または発電プラント等の動力源または熱源として用いられる。
【０００３】
また、このようなボイラシステムの一例として、高圧蒸気を動力源に用いる蒸気タービンに対して複数のドラムボイラを組み合わせたシステムがある（特許文献１参照）。この特許文献１に記載されたボイラシステムでは、蒸気タービンの第１段ノズルが偶数個のノズル室に分割され、各ノズル室に対応して加減弁が設置されている。また、かかる複数のドラムボイラに連通する各蒸気管は、ドラムボイラ間で同数であって、各ノズル室の加減弁にそれぞれ接続されている。
【０００４】
【特許文献１】特開２００１−３１７３０４号公報
【発明の開示】
【発明が解決しようとする課題】
【０００５】
ところで、上述したボイラに熱源を供給する溶融炉等の炉は、例えば廃棄物または金属（鉄、銅等）を燃焼する燃焼処理を行い、この燃焼処理によって出力（排出）される蒸気を熱源としてボイラに供給する。このような炉は、かかる燃焼処理によって発生する燃焼熱を高めることによって、ボイラの熱源として出力される蒸気の熱量を増大させることができる。
【０００６】
このように熱源の熱量が増大した場合、ボイラは、供給された熱源の損失熱量（すなわち蒸気の生成処理に消費されずに排出される熱量）の増大を抑制するために、この熱源を用いて加熱する水の量を増やして熱源の消費熱量を増大させる。具体的には、このボイラの内部に蒸発管が増設される。これによって、ボイラは、供給された熱源の損失熱量を抑制できるとともに、この熱源を用いてより多量の水を加熱でき、この結果、汽水ドラムに供給する蒸気量を増加することができる。この場合、増加した蒸気量に対して汽水ドラムの容量が不足する虞があるため、かかるボイラに接続される汽水ドラムの容量を増やす必要がある。
【０００７】
しかしながら、上述した従来のボイラシステムでは、ボイラによって生成される蒸気量の増加に対応して汽水ドラムの容量を増加する場合、このボイラに接続されている既設の汽水ドラムをより容量の大きな汽水ドラムに交換しなければならなかった。すなわち、この既設の汽水ドラムを撤去し、その後、この蒸気量の増加に対応して容量を増やした大型の汽水ドラムをこのボイラに接続しなければならなかった。このため、ボイラによって生成される蒸気量の増加に対応して汽水ドラムの容量を増やすために多大な時間および労力がかかるという問題点があった。
【０００８】
この発明は、上記事情に鑑みてなされたものであって、既設の汽水ドラムを撤去せずに必要な容量の汽水ドラムを増設でき、配管によってボイラに接続される汽水ドラムの容量を簡易に増加することができるボイラシステムを提供することを目的とする。
【課題を解決するための手段】
【０００９】
上記目的を達成するため、請求項１にかかるボイラシステムは、熱源からの熱を吸収した汽水混合物を出力するボイラと、前記ボイラによって出力された前記汽水混合物を蒸気と水とに分離し、前記蒸気の一部を出力するとともに、前記水を前記ボイラに再入力させる複数のドラムと、前記複数のドラム内部の気相空間を互いに連通する気相連通管と、前記複数のドラム内部の液相空間を互いに連通する液相連通管と、前記複数のドラムの各ドラムに分岐して接続され、前記各ドラムによってそれぞれ出力された前記蒸気を合流し外部に出力する蒸気出力管と、前記複数のドラムの各ドラムに分岐して接続され、前記各ドラムに対して水を供給する給水管と、を備えたことを特徴とする。
【００１０】
また、請求項２にかかるボイラシステムは、上記の発明において、前記複数のドラムのうちの一つは、前記ボイラに既に接続されていた既設ドラムであり、該既設ドラム以外の残りは、前記ボイラに追加接続された追加ドラムであり、前記気相連通管および前記液相連通管は、前記既設ドラムと前記追加ドラムとに対して追加接続され、前記蒸気出力管は、前記既設ドラムによって出力された蒸気を外部に出力する既設蒸気出力管と、前記既設蒸気出力管に対して追加接続され、前記既設蒸気出力管と前記追加ドラムとを連通する追加蒸気出力管と、を備え、前記給水管は、前記既設ドラムに対して水を供給する既設給水管と、前記既設給水管に対して追加接続され、前記既設給水管と前記追加ドラムとを連通する追加給水管と、を備えたことを特徴とする。
【００１１】
また、請求項３にかかるボイラシステムは、上記の発明において、前記追加ドラムは、複数であり、前記気相連通管および前記液相連通管は、前記既設ドラムおよび前記複数の追加ドラムを順次縦続に接続することを特徴とする。
【００１２】
また、請求項４にかかるボイラシステムは、上記の発明において、前記追加ドラムは、複数であり、前記気相連通管および前記液相連通管は、前記既設ドラムを基準にして前記複数の追加ドラムを並行に接続することを特徴とする。
【００１３】
また、請求項５にかかるボイラシステムは、上記の発明において、前記複数のドラムは、鉛直高さを略同じにして設置されることを特徴とする。
【００１４】
また、請求項６にかかるボイラシステムは、上記の発明において、前記蒸気出力管は、前記既設蒸気出力管と前記追加蒸気出力管とを接合する接合部を備え、前記給水管は、前記既設給水管と前記追加給水管とを接合する接合部を備えたことを特徴とする。
【００１５】
また、請求項７にかかるボイラシステムは、上記の発明において、前記既設ドラムは、前記既設ドラム内部の気相空間に連通する既設気相連通管と、前記既設ドラム内部の液相空間に連通する既設液相連通管と、を予め備え、前記気相連通管は、前記追加ドラム内部の気相空間に連通する追加気相連通管と前記既設気相連通管とを接合して形成され、前記液相連通管は、前記追加ドラム内部の液相空間に連通する追加液相連通管と前記既設液相連通管とを接合して形成されることを特徴とする。
【００１６】
また、請求項８にかかるボイラシステムは、上記の発明において、前記気相連通管は、前記既設気相連通管と前記追加気相連通管とを接合する接合部を備え、前記液相連通管は、前記既設液相連通管と前記追加液相連通管とを接合する接合部を備えたことを特徴とする。
【００１７】
また、請求項９にかかるボイラシステムは、上記の発明において、前記気相連通管、前記液相連通管、前記蒸気出力管、および前記給水管は、それぞれの前記接合部の下流側近傍に弁をそれぞれ備えたことを特徴とする。
【００１８】
また、請求項１０にかかるボイラシステムは、上記の発明において、前記給水管を流通する水の流量を調節する給水弁と、前記複数のドラムのうちの一つのドラムの内部水位を検出する水位検出部と、前記一つのドラムの内部水位をもとに前記給水弁の駆動を制御し、前記複数のドラムの内部水位を制御する制御部と、を備えたことを特徴とする。
【００１９】
また、請求項１１にかかるボイラシステムは、熱源からの熱を吸収した汽水混合物を出力するボイラと、前記ボイラによって出力された前記汽水混合物を蒸気と水とに分離し、前記蒸気の一部を出力するとともに、前記水を前記ボイラに再入力させる複数のドラムと、前記複数のドラムの各ドラムに分岐して接続され、前記各ドラムによってそれぞれ出力された前記蒸気を合流し外部に出力する蒸気出力管と、前記複数のドラムの各ドラムに分岐して接続され、前記各ドラムに対して水を供給する給水管と、前記各ドラムに供給される水の流量を前記ドラム毎に調節する複数の給水弁と、前記各ドラムの内部水位を前記ドラム毎に検出する複数の水位検出部と、前記各ドラムの内部水位をもとに前記複数の給水弁の各駆動をそれぞれ制御し、前記各ドラムの内部水位をそれぞれ制御する複数の制御部と、を備えたことを特徴とする。
【００２０】
また、請求項１２にかかるボイラシステムは、上記の発明において、前記複数のドラムのうちの一つは、前記ボイラに既に接続されていた既設ドラムであり、該既設ドラム以外の残りは、前記ボイラに追加接続された追加ドラムであり、前記気相連通管および前記液相連通管は、前記既設ドラムと前記追加ドラムとに対して追加接続され、前記蒸気出力管は、前記既設ドラムによって出力された蒸気を外部に出力する既設蒸気出力管と、前記既設蒸気出力管に対して追加接続され、前記既設蒸気出力管と前記追加ドラムとを連通する追加蒸気出力管と、を備え、前記給水管は、前記既設ドラムに対して水を供給する既設給水管と、前記既設給水管に対して追加接続され、前記既設給水管と前記追加ドラムとを連通する追加給水管と、を備えたことを特徴とする。
【００２１】
また、請求項１３にかかるボイラシステムは、上記の発明において、前記追加ドラムは、前記既設ドラムに比して容量が小さいことを特徴とする。
【発明の効果】
【００２２】
この発明によれば、既設のボイラおよび汽水ドラムに対し、蒸気出力量の増加分を十分に補える容量を有する汽水ドラムを必要数追加することができる。この結果、既設の汽水ドラムを撤去せずに必要な容量の汽水ドラムを増設でき、配管によってボイラに接続される汽水ドラムの全容量を簡易に増加できるボイラシステムを実現できるという効果を奏する。
【発明を実施するための最良の形態】
【００２３】
以下、添付図面を参照して、この発明にかかるボイラシステムの好適な実施の形態を詳細に説明する。なお、この実施の形態によってこの発明が限定されるものではない。
【００２４】
（実施の形態１）
図１は、この発明の実施の形態１にかかるボイラシステムの一構成例を模式的に示すブロック図である。なお、図１に示す実線矢印は、高温ガス、熱水または温水等を含む水、蒸気、あるいは、かかる水と蒸気との混合物である汽水混合物の流れを示す。図１に示すように、この実施の形態１にかかるボイラシステム１００は、熱源を出力する溶融炉１と、溶融炉１によって供給された熱源を用いて蒸気を生成するボイラ２と、ボイラ２によって生成された蒸気を取り出して出力する複数の汽水ドラム１１，１２を備えた汽水分離部３と、汽水分離部３の汽水ドラム１１，１２に水を供給する給水ポンプ４と、汽水ドラム１１，１２に供給された水をボイラ２に循環させる循環ポンプ５とを有する。この場合、汽水ドラム１１，１２は、それぞれの気相空間を連通する連通管２０とそれぞれの液相空間を連通する連通管２１とによって互いに接続される。また、溶融炉１、汽水ドラム１１，１２、および循環ポンプ５は、配管によってボイラ２に接続される。給水ポンプ４および循環ポンプ５は、配管によって汽水ドラム１１，１２に接続される。
【００２５】
溶融炉１は、鉄および銅等の金属または廃棄物を燃焼することによって蒸気等の高温ガスを発生させ、かかる燃焼処理によって発生した高温ガスを熱源としてボイラ２に供給する。例えば、溶融炉１は、鉄および銅等の金属と酸素とが投入され、このように投入された金属を１５００℃程度の温度で燃焼させる。この場合、溶融炉１は、１３００℃程度の温度の高温ガスを排出する。かかる溶融炉１によって排出された高温ガスは、熱源としてボイラ２に供給される。このような溶融炉１は、金属、酸素、または廃棄物の投入量を増やすことによって、排出する高温ガスの温度および排出量、すなわちボイラ２に供給する熱源の熱量を増やすことができる。
【００２６】
ボイラ２は、例えば溶融炉１によって排出された高温ガスを熱源として回収する廃熱ボイラであり、溶融炉１によって供給された熱源を用いて蒸気を生成する。具体的には、ボイラ２は、循環ポンプ５によって供給（循環）された水を流通させる蒸発管を内部に有する。また、ボイラ２は、溶融炉１によって高温ガスが供給され、この高温ガスに含まれるダストを除去し、その後、この高温ガスと蒸発管とを接触させる。この場合、かかる蒸発管内の水と高温ガスとの間で熱交換が行われる。すなわち、ボイラ２は、この高温ガスを熱源として用い、蒸発管内の水を加熱して蒸気を生成する。例えば、ボイラ２は、１３００℃程度の高温ガスを蒸発管に接触させ、この高温ガスの熱量を消費して蒸発管内の水を加熱し、蒸気を生成する。その後、ボイラ２は、このような蒸気生成処理に用いられた高温ガス（３５０℃程度）を排出する。この場合、ボイラ２は、１０００℃程度の高温ガスに相当する熱量を消費して蒸気を生成したことになる。このようなボイラ２は、生成した蒸気と水（熱水）との混合物、すなわち熱源の熱を吸収した汽水混合物を汽水分離部３の汽水ドラム１１，１２にそれぞれ出力する。
【００２７】
なお、このように機能するボイラ２は、溶融炉１によって供給される熱源の熱量が増大した場合、例えば内部の蒸発管を増設することによって、この熱源を用いて加熱する水の量を増やし、蒸気生成処理に消費される熱源の消費熱量を増大させることができる。この場合、ボイラ２は、熱量が増大した熱源を用い、より多量の水を加熱することができる。この結果、ボイラ２は、溶融炉１によって供給された熱源の損失熱量（すなわち蒸気生成処理に消費されずに排出される無駄な熱量）の増大を抑制できるとともに、より多量の蒸気を生成することができる。このように、ボイラ２は、供給される熱源の熱量増加に対応して蒸気生成処理の能力を高めることができる。
【００２８】
汽水分離部３は、ボイラ２によって供給された汽水混合物を蒸気と水とに分離し、得られた蒸気をボイラシステム１００の外部（例えば工場、発電プラント等）に出力するとともに残りの水をボイラ２に戻すためのものである。具体的には、汽水分離部３は、配管によってボイラ２と給水ポンプ４と循環ポンプ５とに接続された複数の汽水ドラム１１，１２を有する。
【００２９】
汽水ドラム１１，１２は、ボイラ２によって生成された蒸気と水とが供給され、この蒸気を取り出して外部に出力するとともに、残りの水をボイラ２に戻すよう機能する。具体的には、汽水ドラム１１，１２は、配管によってボイラ２に対して並列に接続され、ボイラ２によって汽水混合物がそれぞれ供給される。このような汽水ドラム１１，１２は、供給された汽水混合物を蒸気（すなわちボイラ２によって生成された蒸気）と水とに分離するとともに、得られた蒸気を高圧力でボイラシステム１００の外部に出力する。また、汽水ドラム１１，１２は、給水ポンプ４によって水が新たに供給され、上述した残りの水、すなわち、この汽水混合物から分離した水と給水ポンプ４からの水とをボイラ２に戻す。
【００３０】
このような複数の汽水ドラム１１，１２は、連通管２０，２１によって接続されている。連通管２０は、汽水ドラム１１，１２の各内部の気相空間（例えば蒸気によって形成される内部空間）を連通する。一方、連通管２１は、汽水ドラム１１，１２の各内部の液相空間（例えば水によって形成される内部空間）を連通する。このような連通管２０，２１によって接続された汽水ドラム１１，１２は、それぞれの内部に形成される気液界面、すなわち内部水位を互いに略同レベルにする。
【００３１】
給水ポンプ４は、ボイラシステム１００の外部に出力された蒸気に相当する水を汽水ドラム１１，１２に補給する。具体的には、給水ポンプ４は、汽水ドラム１１，１２に対して水を供給し、かかる汽水ドラム１１，１２から蒸気が出力されるとともに減少する汽水ドラム１１，１２内部の水量を補う。この場合、かかる給水ポンプ４によって汽水ドラム１１，１２に供給される水は、ボイラ２に適した水であり、例えばカルシウム等のミネラル成分の含有量を低減した軟水または純水である。
【００３２】
循環ポンプ５は、ボイラ２と汽水分離部３との間で水を循環させるためのものである。具体的には、循環ポンプ５は、汽水ドラム１１，１２の内部に残った水（すなわち汽水混合物から分離された水および給水ポンプ４によって補給された水）を強制的にボイラ２に戻す。循環ポンプ５は、このように汽水ドラム１１，１２からボイラ２へ水を循環させることによって、汽水ドラム１１，１２に残った水をボイラ２に再加熱させる。
【００３３】
つぎに、上述した汽水分離部３の構成について詳細に説明する。図２は、この発明の実施の形態１にかかるボイラシステム１００の汽水分離部３の一構成例を示す模式図である。なお、図２において、実線矢印は、図１の場合と同様に、水、蒸気、あるいは汽水混合物の流れを示し、破線矢印は、各構成部間における各種信号（電気信号、無線信号等）の入出力を示す。
【００３４】
図２に示すように、汽水分離部３は、上述した複数の汽水ドラム１１，１２と、汽水ドラム１１，１２の各気相空間を連通する連通管２０と、汽水ドラム１１，１２の各液相空間を連通する連通管２１とを有する。また、汽水分離部３は、ボイラ２によって出力された汽水混合物を汽水ドラム１１，１２までそれぞれ流通させる汽水流通管２２，２３と、汽水ドラム１１，１２の各内部に残った水を循環ポンプ５まで流通させる循環管２４，２５と、給水ポンプ４によって送出された水を汽水ドラム１１，１２まで流通させる給水管２６と、汽水ドラム１１，１２によって出力された蒸気をボイラシステム１００の外部まで流通する蒸気出力管２７とを有する。さらに、汽水分離部３は、汽水ドラム１１，１２の各内部水位をそれぞれ検出する水位発信器２８，２９と、給水管２６を流通する水の流量を検出する給水流量発信器３０と、給水管２６を流通する水の流量を調節する弁３１と、給水管２６を流通する水を加熱するヒータ３２とを有する。また、汽水分離部３は、給水管２６を流通して汽水ドラム１１，１２にそれぞれ供給される各水の流量を検出する流量指示計３３，３４と、この汽水ドラム１２に供給される水の流量を調節する弁３５と、蒸気出力管２７を流通する蒸気の流量を検出する蒸気流量発信器３６と、汽水ドラム１１，１２の内部水位を制御する制御装置３７とを有する。
【００３５】
汽水ドラム１１，１２は、上述したように蒸気と水とが供給され、この蒸気を取り出して出力するとともに、残りの水をボイラ２に戻す。このような複数の汽水ドラム１１，１２のうちの一つ、例えば汽水ドラム１１は、配管によってボイラ２に元来接続されていた既設の汽水ドラムである。この場合、汽水ドラム１１は、元来のボイラ２（すなわち熱源の増加に伴って蒸気の出力量を増加させる前のボイラ２）によって生成された蒸気を取り出して外部に出力するに十分な容量を有する。一方、かかる既設の汽水ドラムを除いた残りの汽水ドラム１２は、ボイラ２によって生成される蒸気の出力量の増加に対応して汽水分離部３の汽水ドラム容量を増加するために、配管によってボイラ２に追加接続された追加の汽水ドラムである。この場合、汽水ドラム１２は、熱源の増加に伴ってボイラ２からの蒸気の出力量を増加させた場合に不足する汽水ドラム容量を補うに十分な容量を有し、汽水分離部３の汽水ドラム容量（すなわち配管によってボイラ２に接続された汽水ドラムの全容量）を増加させる。このような汽水ドラム１１，１２の全容量は、熱源の増加に伴ってボイラ２が出力量を増加させた蒸気を処理するに十分なものである。
【００３６】
なお、このような汽水ドラム１２の容量は、既設の汽水ドラム１１と同程度またはそれ以上であってもよいが、この汽水ドラム１１に比して小さいことが望ましい。この場合、汽水ドラム１１，１２の各筒形状の径は略同値であり、汽水ドラム１２の長手方向の長さ（筒長）は汽水ドラム１１に比して短い。
【００３７】
また、汽水ドラム１１，１２には、図２に示すように、連通管２０，２１が接続される。連通管２０は、汽水ドラム１１，１２のそれぞれの内部に形成される気相空間を互いに連通する気相連通管として機能する。このような連通管２０は、例えば、汽水ドラム１１の気相空間に連通する連絡管２０ａと汽水ドラム１２の気相空間に連通する連絡管２０ｂとを接合部Ｃ１において溶接接合して形成される。なお、この連絡管２０ａは、既設の汽水ドラム１１に対して予め設けられてもよい。一方、連通管２１は、汽水ドラム１１，１２のそれぞれの内部に形成される液相空間を互いに連通する液相連通管として機能する。このような連通管２１は、例えば、汽水ドラム１１の液相空間に連通する連絡管２１ａと汽水ドラム１２の液相空間に連通する連絡管２１ｂとを接合部Ｃ２において溶接接合して形成される。なお、この連絡管２１ａは、既設の汽水ドラム１１に対して予め設けられてもよい。
【００３８】
なお、かかる汽水ドラム１１，１２の各気相空間を連通する連通管２０は、一体的に形成された管の両側の開口端を汽水ドラム１１，１２にそれぞれ溶接接合して形成されてもよい。これと同様に、かかる汽水ドラム１１，１２の各液相空間を連通する連通管２１は、一体的に形成された管の両側の開口端を汽水ドラム１１，１２にそれぞれ溶接接合して形成されてもよい。
【００３９】
かかる連通管２０，２１が接続された汽水ドラム１１，１２は、それぞれの内部水位を略同じ高さにする。このような汽水ドラム１１，１２は、鉛直高さが略同じになるように設置されることが望ましい。この場合、汽水ドラム１１，１２は、例えば、それぞれの長手方向の中心軸の高さが同一面（例えば地面、床面等）を基準にして略同じになるように設置されることが望ましい。
【００４０】
また、汽水ドラム１１，１２には、汽水流通管２２，２３、循環管２４，２５、給水管２６、および蒸気出力管２７がそれぞれ接続される。汽水流通管２２，２３は、ボイラ２と汽水ドラム１１，１２とをそれぞれ連通し、ボイラ２によって出力された汽水混合物を流通させる。この場合、ボイラ２によって出力された汽水混合物は、かかる汽水流通管２２，２３をそれぞれ流通して汽水ドラム１１，１２にそれぞれ供給される。循環管２４，２５は、上述した循環ポンプ５を介して汽水ドラム１１，１２とボイラ２とをそれぞれ連通し、循環ポンプ５によって強制的に循環される水（すなわち汽水ドラム１１，１２の各内部の水）を汽水ドラム１１，１２からボイラ２に流通させる。なお、循環管２５は、例えば循環ポンプ５の下流側近傍において循環管２４に溶接接合されてもよい。この場合、循環管２５は、既設の循環管２４に対して追加接続された管である。
【００４１】
給水管２６は、給水ポンプ４によって供給される水を汽水ドラム１１，１２に対してそれぞれ流通させる。具体的には、給水管２６は、給水ポンプ４に連通する管を汽水ドラム１１，１２のそれぞれに分岐したものであり、例えば図２に示す分岐点Ｂ１において分岐して汽水ドラム１１，１２にそれぞれ接続される。このような給水管２６は、例えば、元来、給水ポンプ４から既設の汽水ドラム１１に水を流通させていた既設給水管２６ａに対して追加給水管２６ｂを接続して形成される。この追加給水管２６ｂは、給水ポンプ４からの水を追加の汽水ドラム１２にさらに流通させるためのものであり、例えば給水管２６の分岐点Ｂ１の下流側近傍に位置する接合部Ｃ３において既設給水管２６ａに溶接接合される。
【００４２】
蒸気出力管２７は、汽水ドラム１１，１２によって汽水混合物から取り出された各蒸気をボイラシステム１００の外部（例えば工場、発電プラント等）に流通させる。具体的には、蒸気出力管２７は、かかるボイラシステム１００の外部に連通する管を汽水ドラム１１，１２のそれぞれに分岐したものであり、例えば図２に示す分岐点Ｂ２において分岐して汽水ドラム１１，１２にそれぞれ接続される。このような蒸気出力管２７は、例えば、元来、既設の汽水ドラム１１によって出力された蒸気を流通させていた既設蒸気出力管２７ａに対して追加蒸気出力管２７ｂを接続して形成される。この追加蒸気出力管２７ｂは、追加の汽水ドラム１２によって出力される蒸気を既設蒸気出力管２７ａ内の蒸気に合流させ、この汽水ドラム１２からの蒸気をボイラシステム１００の外部にさらに出力するためのものである。この場合、追加蒸気出力管２７ｂは、例えば蒸気出力管２７の分岐点Ｂ２の上流側近傍に位置する接合部Ｃ４において既設蒸気出力管２７ａに溶接接合される。
【００４３】
一方、上述した給水管２６には、給水ポンプ４に対して下流側に、給水流量発信器３０、弁３１、およびヒータ３２が水の流通経路に沿って順次設けられる。また、この給水管２６の分岐点Ｂ１に対して下流側には、汽水ドラム１１に供給される水の流通経路に沿って流量指示計３３が設けられ、汽水ドラム１２に供給される水の流通経路に沿って流量指示計３４および弁３５が順次設けられる。また、上述した蒸気出力管２７の分岐点Ｂ２の上流側には、蒸気流量発信器３６が設けられる。一方、上述した汽水ドラム１１，１２には、内部水位を検出する水位発信器２８，２９がそれぞれ設けられる。また、給水管２６に設けられた弁３１の駆動を制御して汽水ドラム１１，１２の各内部水位を制御する制御装置３７が、例えば弁３１の近傍に設置される。
【００４４】
給水流量発信器３０は、汽水ドラム１１，１２に供給される水の流量（給水流量）を検出し、得られた給水流量を制御装置３７に通知する。具体的には、給水流量発信器３０は、弁３１によって調節される給水流量を検出し、この検出した給水流量に対応する信号を制御装置３７に発信する。
【００４５】
弁３１は、汽水ドラム１１，１２に対して供給される水の給水流量を調節する。具体的には、弁３１は、制御装置３７によって駆動制御される自動弁であって、かかる制御装置３７の制御に基づいて給水流量を調節する。この場合、弁３１は、かかる給水流量の調節を通して汽水ドラム１１，１２の内部水位を調節する。
【００４６】
ヒータ３２は、エコノマイザまたは電熱器等を用いて実現され、汽水ドラム１１，１２に供給される水を加熱する。このようなヒータ３２は、汽水ドラム１１，１２の内部に溜まる水の温度が急激に低下することを防止する。具体的には、上述した弁３１によって給水流量が調節された水は、ヒータ３２によって加熱され、その後、分岐点Ｂ１を通って汽水ドラム１１側の流通経路（既設給水経路）と汽水ドラム１２側の流通経路（追加給水経路）とに分かれて流通する。
【００４７】
流量指示計３３は、この分岐点Ｂ１を境に分岐して給水管２６の既設給水経路を流通する水の流量を計測し、得られた計測結果を示す。この場合、汽水ドラム１１には、かかる流量指示計３３に示された流量の水が供給される。一方、流量指示計３４は、この分岐点Ｂ１を境に分岐して給水管２６の追加給水経路を流通する水の流量を計測し、得られた計測結果を示す。この場合、汽水ドラム１２には、かかる流量指示計３４に示された流量の水が供給される。弁３５は、例えば手動弁であり、この追加給水経路を流通する水の流量を調節するためのものである。具体的には、弁３５は、例えば流量指示計３３，３４が略同じ流量を示すように追加給水経路の水の流量を調節し、汽水ドラム１１，１２に供給される水の流量を略同じにする。
【００４８】
蒸気流量発信器３６は、蒸気出力管２７を流通してボイラシステム１００の外部に出力される蒸気の流量を検出し、得られた蒸気の流量を制御装置３７に通知する。この場合、蒸気流量発信器３６は、汽水ドラム１１によって出力された蒸気の出力量と汽水ドラム１２によって出力された蒸気の出力量とを加算した蒸気の総出力量を検出する。ここで、蒸気出力管２７は、分岐点Ｂ２を境に、汽水ドラム１１側に分岐する既設蒸気経路と汽水ドラム１２側に分岐する追加蒸気経路とを形成する。すなわち、汽水ドラム１１によって出力された蒸気は既設蒸気経路を流通し、汽水ドラム１２によって出力された蒸気は追加蒸気経路を流通する。かかる汽水ドラム１１，１２からの各蒸気は、分岐点Ｂ２において合流し、その後、ボイラシステム１００の外部に向けて蒸気出力管２７を流通する。蒸気流量発信器３６は、このように合流した後の蒸気の流量、すなわち上述した蒸気の総出力量を検出し、この検出した総出力量に対応する信号を制御装置３７に発信する。
【００４９】
制御装置３７は、上述した弁３１の駆動を制御して汽水ドラム１１，１２の各内部水位を制御する。この場合、制御装置３７は、汽水ドラム１１，１２から蒸気が出力されるとともに減少する汽水ドラム１１，１２内部の水量を補うように弁３１の駆動を制御して給水流量を調節する。制御装置３７は、かかる給水流量の調節を通して汽水ドラム１１，１２の各内部水位を所定の許容範囲内に制御する。具体的には、制御装置３７は、給水流量発信器３０からの信号をもとに汽水ドラム１１，１２に対する給水流量を把握し、蒸気流量発信器３６からの信号をもとに蒸気の総出力量を把握する。制御装置３７は、かかる蒸気流量発信器３６によって検出された蒸気の総出力量に相当する水を汽水ドラム１１，１２に供給するように、弁３１の駆動を制御して給水流量を調節する。この場合、制御装置３７は、水位発信器２８によって検出された内部水位をもとに、汽水ドラム１１，１２の各内部水位を制御する。
【００５０】
ここで、水位発信器２８は、汽水ドラム１１の内部水位を検出し、得られた内部水位に対応する信号を制御装置３７に発信して制御装置３７に汽水ドラム１１の内部水位を通知する。一方、汽水ドラム１１，１２は、上述したように、連通管２０によって内部の各気相空間が互いに連通されるとともに連通管２１によって内部の各液相空間が互いに連通されている。この結果、汽水ドラム１１，１２の各内部水位は、同一面を基準にして略同じ高さになる。したがって、制御装置３７は、かかる水位発信器２８によって検出された汽水ドラム１１（すなわち既設の汽水ドラム）の内部水位をもとに、複数の汽水ドラム１１，１２の各内部水位を同時に把握できる。この場合、制御装置３７は、水位発信器２８によって検出された汽水ドラム１１の内部水位が所定の許容範囲内（例えばボイラシステム１００の稼動期間において略一定の水位）になるように、弁３１の駆動を制御して給水流量を調節する。かかる給水流量の調節を通して、制御装置３７は、汽水ドラム１１，１２の各内部水位を所定の許容範囲内に制御できる。
【００５１】
なお、制御装置３７は、追加の汽水ドラム１２に設けられた水位発信器２９からの信号をもとに、この汽水ドラム１２の内部水位を把握できる。この水位発信器２９は、汽水ドラム１２の内部水位を検出し、得られた内部水位に対応する信号を制御装置３７に発信して制御装置３７に汽水ドラム１２の内部水位を通知する。この場合、制御装置３７は、かかる水位発信器２８，２９によってそれぞれ検出された汽水ドラム１１，１２の各内部水位をもとに、これらの各内部水位が略同じであるか否かを監視し、これらの各内部水位に著しい差が見られる場合、警報を出力するように構成してもよい。これによって、例えば、給水管２６または蒸気出力管２７等の管詰まりあるいは破損、汽水ドラム１１，１２の破損等の異常を早期に発見することができる。
【００５２】
上述したような構成を有する汽水分離部３の汽水ドラム１１，１２は、汽水流通管２２，２３を介してボイラ２から供給された汽水混合物を蒸気と水（熱水）とに分離し、得られた蒸気を高圧力（例えば４０ＭＰａ程度の圧力）で出力する。これと同時に、汽水ドラム１１，１２は、給水管２６を介して給水ポンプ４から水が供給され、この給水ポンプ４からの水と上述した汽水混合物から分離した水とをボイラ２に戻す。この場合、汽水ドラム１１，１２の各内部水位は、制御装置３７の制御によって所定の許容範囲内（例えば略一定の水位）に維持される。
【００５３】
一方、かかる汽水ドラム１１，１２から出力された各蒸気は、蒸気出力管２７を流通し、例えば図１に示したように、ボイラシステム１００の外部の発電プラント１０１、蒸気式空気予熱器１１０、および工場１２０に熱源または動力源として供給される。発電プラント１０１は、例えば、供給された蒸気をさらに加熱する過熱器１０２と、蒸気を動力源に用いて駆動する蒸気タービン１０３とを有する。この場合、過熱器１０２は、ボイラシステム１００によって供給された蒸気を加熱し、この蒸気の凝縮を防止する。かかる過熱気１０２は、蒸気タービン１０３に対して蒸気を効率的に供給することができる。蒸気タービン１０３は、かかる過熱器１０２を介して供給された蒸気を動力源に用いて例えば発電機（図示せず）を駆動させる。一方、蒸気式空気予熱器１１０は、ボイラシステム１００によって供給された蒸気を熱源に用いて気体を加熱する。工場１２０は、ボイラシステム１００によって供給された蒸気を設備の動力源または熱源に用いる。
【００５４】
ここで、上述した汽水ドラム１１は、配管によってボイラ２に元来接続されていた既設の汽水ドラムである。このような既設の汽水ドラム１１は、元来、ボイラ２によって生成された蒸気を取り出して外部に出力するに十分な容量、例えば出力量が３０ｔ／ｈの蒸気を出力するに十分な容量を有する。しかし、上述したように熱源の増加に伴ってボイラ２からの蒸気の出力量が増加（例えば３０ｔ／ｈから３５ｔ／ｈに増加）した場合、この汽水ドラム１１のみでは容量不足になる。このような汽水ドラムの容量不足を回避するために、汽水ドラム１２が汽水分離部３に追加された。すなわち、この追加の汽水ドラム１２は、かかる蒸気の出力量の増加に起因して不足する汽水ドラム容量を補うに十分な容量を有し、配管によってボイラ２に接続された汽水ドラム（ボイラ２によって生成された蒸気を処理する汽水ドラム）の全容量を増加（例えば３０ｔ／ｈから３５ｔ／ｈに増加）させる。
【００５５】
このように、ボイラ２に対して汽水ドラム１２を追加接続することによって、既設の汽水ドラム１１を撤去することなく、且つ、かかる蒸気の出力量の増加に対応した大型の汽水ドラムを既設の汽水ドラム１１に代えて設置することもなく、必要な容量の汽水ドラムを増設でき、配管によってボイラ２に接続される汽水ドラムの全容量を簡易に増加することができる。
【００５６】
このように汽水ドラムの全容量を増加したボイラシステム１００は、図１に示すように、外部の各出力先に対して蒸気を高圧力で出力することができる。この場合、ボイラシステム１００は、例えば発電プラント１０１と蒸気式空気予熱器１１０と工場１２０とに対し、所望の出力量にそれぞれ分割して蒸気を高圧力で出力する。
【００５７】
なお、この発明の実施の形態１では、ボイラ２に対して２つの汽水ドラム１１，１２を接続した場合、すなわち、既設のボイラ２および汽水ドラム１１に対して追加した汽水ドラム１２が１つである場合を例示したが、この発明はこれに限定されるものではなく、既設のボイラ２および汽水ドラム１１に対して複数の汽水ドラムを追加してもよい。すなわち、１つのボイラ２に対して３つ以上の汽水ドラムが接続されてもよい。
【００５８】
また、ボイラ２に対して３つ以上の汽水ドラムを接続する場合、かかる３つ以上の汽水ドラムに接続される気相連通管および液相連通管は、これら３つ以上の汽水ドラムの各汽水ドラムを順次縦続に接続（例えばデージチェーン状に接続）するように配管されてもよい。例えば、ボイラ２に対して３つの汽水ドラム１１〜１３を並列に接続した場合、かかる汽水ドラム１１〜１３に接続される気相連通管および液相連通管は、図３に示すように、汽水ドラム１１〜１３を順次縦続に接続するように配管されてもよい。すなわち、汽水ドラム１１，１２に対して上述した連通管２０，２１が配管され、さらに、追加の汽水ドラム１２，１３に対して各気相空間を連通する連通管４０と各液相空間を連通する連通管４１とが配管されてもよい。
【００５９】
あるいは、かかる３つ以上の汽水ドラムに接続される気相連通管および液相連通管は、既設の汽水ドラムを基準にして残りの汽水ドラム（すなわち追加の汽水ドラム）をそれぞれ並行に接続するように配管されてもよい。例えば、ボイラ２に対して３つの汽水ドラム１１〜１３を並列に接続した場合、かかる汽水ドラム１１〜１３に配管される気相連通管および液相連通管は、図４に示すように、汽水ドラム１１を基準にして汽水ドラム１２，１３を並行に接続するように配管されてもよい。すなわち、汽水ドラム１１，１２に対して上述した連通管２０，２１が配管され、さらに、既設の汽水ドラム１１および追加の汽水ドラム１３に対して各気相空間を連通する連通管４０と各液相空間を連通する連通管４１とが配管されてもよい。
【００６０】
以上、説明したように、この発明の実施の形態１では、１つのボイラに対し、配管によって複数の汽水ドラムを並列に接続し、これら複数の汽水ドラムの各気相空間を互いに連通させるとともに各液相空間を互いに連通させてこれら複数の汽水ドラムの各内部水位を略同じにし、かかる複数の汽水ドラムに対して蒸気と水とをそれぞれ供給するように構成した。このため、既設のボイラおよび汽水ドラムに対し、蒸気出力量の増加分を十分に補える容量を有する汽水ドラムを必要数追加することができる。この結果、既設の汽水ドラムを撤去せずに必要な容量の汽水ドラムを増設でき、配管によってボイラに接続される汽水ドラムの全容量を簡易に増加できるボイラシステムを実現することができる。
【００６１】
この実施の形態１にかかるボイラシステムでは、かかる必要な容量の汽水ドラムを追加する場合、既設の汽水ドラムおよび配管を撤去する必要がなく、追加の汽水ドラムを接続するために必要な配管を既設の配管または既設の汽水ドラムに追加接合すればよい。このため、汽水ドラムの増設工事に伴うボイラシステムの稼働停止期間（操業停止期間）を可能な限り短縮できるとともに、短期間で必要な容量の汽水ドラムを追加できる。
【００６２】
また、蒸気出力量の増加に対応した大型の汽水ドラムを既設の汽水ドラムに代えて設置することなく、必要な容量を有する小型の汽水ドラムを追加すればよいので、汽水ドラムの増設に掛かる手間を低減できるとともに、このような大型の汽水ドラムの製作費用と設置に掛かる手間とを省くことができる。
【００６３】
さらに、複数の汽水ドラムに気相連通管および液相連通管を設けて各汽水ドラムの内部水位を略同じになるように構成しているので、かかる複数の汽水ドラムのうちの１つ（例えば既設の汽水ドラム）の内部水位を制御することによって残りの汽水ドラムの内部水位を同時に制御することができる。このため、かかる複数の汽水ドラムの各内部水位を制御する制御系を容易に構成することができる。
【００６４】
（実施の形態２）
つぎに、この発明の実施の形態２について説明する。上述した実施の形態１では、既設のボイラ２および汽水ドラム１１に対して汽水ドラム１２を追加接続するために必要な管（例えば追加給水管２６ｂ、追加蒸気出力管２７ｂ等）を既設の管に溶接接合していたが、この実施の形態２では、かかる既設の管に接合部と弁とを予め設けるようにし、この接合部において追加の管を接合し、その後、この弁を開けて既設の管と追加の管とを連通させている。
【００６５】
図５は、この発明の実施の形態２にかかるボイラシステムの一構成例を模式的に示すブロック図である。図６は、この実施の形態２にかかるボイラシステムの汽水分離部の一構成例を示す模式図である。図５，６に示すように、この実施の形態２にかかるボイラシステム２００は、上述した実施の形態１にかかるボイラシステム１００の汽水分離部３に代えて汽水分離部４３を有する。汽水分離部４３は、上述したボイラシステム１００の汽水分離部３の連通管２０，２１に代えて連通管５０，５１を有し、給水管２６に代えて給水管５２を有し、蒸気出力管２７に代えて蒸気出力管５３を有する。その他の構成は実施の形態１と同じであり、同一構成部分には同一符号を付している。
【００６６】
連通管５０は、上述した実施の形態１にかかるボイラシステム１００の連通管２０と同様に、汽水ドラム１１，１２の各気相空間を互いに連通する気相連通管として機能する。具体的には、連通管５０は、汽水ドラム１１の気相空間に連通する連絡管５０ａと汽水ドラム１２の気相空間に連通する連絡管５０ｂとを接合して形成される。連絡管５０ａは、既設の汽水ドラム１１に予め設けられ、この汽水ドラム１１の気相空間に連通する。
【００６７】
このような連絡管５０ａには、上述した連絡管５０ｂを追加接合するための接合部６１が端部に設けられ、この接合部６１と汽水ドラム１１との間に弁６２が設けられる。接合部６１は、連絡管５０ａの開口端を形成し、螺合または溶接等によって連絡管５０ａ，５０ｂを互いに接合する。弁６２は、例えば手動弁であって、開閉駆動によって連絡管５０ａの連通状態を調節する。かかる弁６２は、接合部６１を介して連絡管５０ａ，５０ｂが接合されていない場合に閉められ、連絡管５０ａを閉塞する。これによって、汽水ドラム１１は、連絡管５０ａから外部への蒸気の漏出を防止できる。一方、弁６２は、接合部６１を介して連絡管５０ａ，５０ｂが接合された場合に開けられ、かかる連絡管５０ａ，５０ｂを連通状態にする。
【００６８】
このように、接合部６１を介して連絡管５０ａに連絡管５０ｂを追加接合することによって連通管５０が形成され、かかる連通管５０は、弁６２を開けることによって気相連通管として機能する。この場合、連通管５０の連通状態は、かかる弁６２の開閉駆動によって調節される。
【００６９】
連通管５１は、上述した実施の形態１にかかるボイラシステム１００の連通管２１と同様に、汽水ドラム１１，１２の各液相空間を互いに連通する液相連通管として機能する。具体的には、連通管５１は、汽水ドラム１１の液相空間に連通する連絡管５１ａと汽水ドラム１２の液相空間に連通する連絡管５１ｂとを接合して形成される。連絡管５１ａは、既設の汽水ドラム１１に予め設けられ、この汽水ドラム１１の液相空間に連通する。
【００７０】
このような連絡管５１ａには、上述した連絡管５１ｂを追加接合するための接合部６３が端部に設けられ、この接合部６３と汽水ドラム１１との間に弁６４が設けられる。接合部６３は、連絡管５１ａの開口端を形成し、螺合または溶接等によって連絡管５１ａ，５１ｂを互いに接合する。弁６４は、例えば手動弁であって、開閉駆動によって連絡管５１ａの連通状態を調節する。かかる弁６４は、接合部６３を介して連絡管５１ａ，５１ｂが接合されていない場合に閉められ、連絡管５１ａを閉塞する。これによって、汽水ドラム１１は、連絡管５１ａから外部への水の漏出を防止できる。一方、弁６４は、接合部６３を介して連絡管５１ａ，５１ｂが接合された場合に開けられ、かかる連絡管５１ａ，５１ｂを連通状態にする。
【００７１】
このように、接合部６３を介して連絡管５１ａに連絡管５１ｂを追加接合することによって連通管５１が形成され、かかる連通管５１は、弁６４を開けることによって液相連通管として機能する。この場合、連通管５１の連通状態は、かかる弁６４の開閉駆動によって調節される。
【００７２】
給水管５２は、上述した実施の形態１にかかるボイラシステム１００の給水管２６と同様に、分岐点Ｂ１において分岐して汽水ドラム１１，１２にそれぞれ接続され、給水ポンプ４からの水を汽水ドラム１１，１２にそれぞれ供給する。この場合、給水管５２は、分岐点Ｂ１を境に、上述した既設給水経路と追加給水経路とを形成する。また、給水管５２には、上述した給水管２６の場合と同様に、給水流量発信器３０、弁３１，３５、ヒータ３２、および流量指示計３３，３４が設けられる。
【００７３】
このような給水管５２は、元来、給水ポンプ４から既設の汽水ドラム１１に水を流通させていた既設給水管５２ａに対し、追加給水管５２ｂを接続して形成される。追加給水管５２ｂは、給水ポンプ４からの水を追加の汽水ドラム１２にさらに流通させるためのものである。一方、既設給水管５２ａは、分岐点Ｂ１の近傍に、この追加給水管５２ｂを接合した場合に追加給水管路の一部を形成する分岐管を有する。この分岐管の端部には、既設給水管５２ａに対して追加給水管５２ｂを追加接合するための接合部６５が設けられ、この接合部６５と分岐点Ｂ１との間（すなわち既設給水管５２ａの分岐管）に弁６６が設けられる。
【００７４】
接合部６５は、この既設給水管５２ａの分岐管の開口端を形成し、螺合または溶接等によって既設給水管５２ａと追加給水管５２ｂとを接合する。弁６６は、例えば手動弁であって、開閉駆動によってこの既設給水管５２ａの分岐管の連通状態を調節する。かかる弁６６は、接合部６５を介して既設給水管５２ａと追加給水管５２ｂとが接合されていない場合に閉められ、この既設給水管５２ａの分岐管を閉塞する。これによって、既設給水管５２ａは、この分岐管から外部への水の漏出を防止できる。一方、弁６６は、接合部６５を介して既設給水管５２ａと追加給水管５２ｂとが接合された場合に開けられ、この分岐管を介して既設給水管５２ａと追加給水管５２ｂとを連通状態にする。
【００７５】
このように、接合部６５を介して既設給水管５２ａに追加給水管５２ｂを追加接合することによって給水管５２が形成される。かかる給水管５２は、汽水ドラム１１に対して水を流通させ、弁６６を開けることによって、さらに汽水ドラム１２に対して水を流通させる。この場合、既設給水管５２ａと追加給水管５２ｂとの連通状態は、かかる弁６６の開閉駆動によって調節される。
【００７６】
蒸気出力管５３は、上述した実施の形態１にかかるボイラシステム１００の蒸気出力管２７と同様に、分岐点Ｂ２において分岐して汽水ドラム１１，１２にそれぞれ接続され、汽水ドラム１１，１２からの各蒸気をボイラシステム２００の外部に流通させる。この場合、蒸気出力管５３は、分岐点Ｂ２を境に、上述した既設蒸気経路と追加蒸気経路とを形成する。また、蒸気出力管５３には、上述した蒸気出力管２７の場合と同様に、蒸気流量発信器３６が設けられる。
【００７７】
このような蒸気出力管５３は、元来、既設の汽水ドラム１１から出力された蒸気を流通させていた既設蒸気出力管５３ａに対し、追加蒸気出力管５３ｂを接続して形成される。追加蒸気出力管５３ｂは、分岐点Ｂ２において、追加の汽水ドラム１２からの蒸気を既設蒸気出力管５３ａに合流させるためのものである。一方、既設蒸気出力管５３ａは、分岐点Ｂ２の近傍に、この追加蒸気出力管５３ｂを接合した場合に追加蒸気管路の一部を形成する分岐管を有する。この分岐管の端部には、既設蒸気出力管５３ａに対して追加蒸気出力管５３ｂを追加接合するための接合部６７が設けられ、この接合部６７と分岐点Ｂ２との間（すなわち既設蒸気出力管５３ａの分岐管）に弁６８が設けられる。
【００７８】
接合部６７は、この既設蒸気出力管５３ａの分岐管の開口端を形成し、螺合または溶接等によって既設蒸気出力管５３ａと追加蒸気出力管５３ｂとを接合する。弁６８は、例えば手動弁であって、開閉駆動によってこの既設蒸気出力管５３ａの分岐管の連通状態を調節する。かかる弁６８は、接合部６７を介して既設蒸気出力管５３ａと追加蒸気出力管５３ｂとが接合されていない場合に閉められ、この既設蒸気出力管５３ａの分岐管を閉塞する。これによって、既設蒸気出力管５３ａは、この分岐管から外部への蒸気の漏出を防止できる。一方、弁６８は、接合部６７を介して既設蒸気出力管５３ａと追加蒸気出力管５３ｂとが接合された場合に開けられ、この分岐管を介して既設蒸気出力管５３ａと追加蒸気出力管５３ｂとを連通状態にする。
【００７９】
このように、接合部６７を介して既設蒸気出力管５３ａに追加蒸気出力管５３ｂを追加接合することによって蒸気出力管５３が形成される。かかる蒸気出力管５３は、汽水ドラム１１から出力された蒸気をボイラシステム２００の外部に流通させ、弁６８を開けることによって、さらに汽水ドラム１２から出力された蒸気をボイラシステム２００の外部に流通させる。この場合、既設蒸気出力管５３ａと追加蒸気出力管５３ｂとの連通状態は、かかる弁６８の開閉駆動によって調節される。
【００８０】
なお、この発明の実施の形態２では、ボイラ２に対して２つの汽水ドラム１１，１２を接続した場合、すなわち、既設のボイラ２および汽水ドラム１１に対して追加した汽水ドラム１２が１つである場合を例示したが、この発明はこれに限定されるものではなく、既設のボイラ２および汽水ドラム１１に対して複数の汽水ドラムを追加してもよい。すなわち、１つのボイラ２に対して３つ以上の汽水ドラムが接続されてもよい。
【００８１】
また、ボイラ２に対して３つ以上の汽水ドラムを接続する場合、かかる３つ以上の汽水ドラムに接続される気相連通管および液相連通管は、図３に例示したように、これら３つ以上の汽水ドラムの各汽水ドラムを順次接続するように配管されてもよいし、図４に例示したように、既設の汽水ドラムに対して残りの汽水ドラム（すなわち追加の汽水ドラム）をそれぞれ接続するように配管されてもよい。
【００８２】
さらに、この発明の実施の形態２では、連絡管５０ａ，５１ａ、既設給水管５２ａ、および既設蒸気出力管５３ａ等の既設管に設けた接合部に対し、連絡管５０ｂ，５１ｂ、追加給水管５２ｂ、および追加蒸気出力管５３ｂ等の追加管をそれぞれ１本ずつ接合していたが、この発明はこれに限定されるものではなく、かかる既設管に設ける接合部が複数の分岐管（ノズル等）を備えるようにし、かかる接合部を介して複数の追加管を既設管に接合してもよい。これによって、既設のボイラおよび汽水ドラムに対して追加の汽水ドラムを接続するために必要な各種管を容易に配管できるようになる。
【００８３】
以上、説明したように、この発明の実施の形態２では、上述した実施の形態１とほぼ同様の構成を有し、さらに、既設の連絡管、既設給水管、および既設蒸気出力管等の既設管に接合部と弁とを設け、弁を閉めた状態の既設管の接合部に対し、汽水ドラムの追加に必要な追加管（例えば追加給水管、追加蒸気出力管等）をそれぞれ追加接合し、その後、かかる既設管の弁を開けて既設管と追加管とを連通させるように構成した。このため、操業を停止しなくとも汽水ドラムの増設に必要な追加管の配管工事を行うことができる。この結果、上述した実施の形態１と同様の作用効果を享受するとともに、操業を停止しなくとも必要な容量の汽水ドラムを簡易に追加できるボイラシステムを実現できる。
【００８４】
（実施の形態３）
つぎに、この発明の実施の形態３について説明する。上述した実施の形態１では、汽水ドラム１１，１２に連通管２０，２１を設けて汽水ドラム１１，１２の各内部水位を略同一にし、制御装置３７が複数の汽水ドラム１１，１２の各内部水位を同時に制御していたが、この実施の形態３では、複数の汽水ドラムのそれぞれに対して制御装置を設け、各制御装置が汽水ドラムの内部水位を個別に制御するようにしている。
【００８５】
図７は、この発明の実施の形態３にかかるボイラシステムの一構成例を模式的に示すブロック図である。図８は、この実施の形態３にかかるボイラシステムの汽水分離部の一構成例を示す模式図である。図７，８に示すように、この実施の形態３にかかるボイラシステム３００は、上述した実施の形態１にかかるボイラシステム１００の汽水分離部３に代えて汽水分離部７３を有する。汽水分離部７３は、上述したボイラシステム１００の汽水分離部３の弁３５に代えて弁８１を有し、さらに、汽水ドラム１２に設けられた水位発信器２９からの信号をもとに弁８１の駆動を制御する制御装置８２を有する。また、このボイラシステム３００の汽水ドラム１１，１２には、上述した連通管２０，２１が設けられていない。このため、汽水ドラム１１，１２の各内部水位は、制御装置３７，８２によってそれぞれ個別に制御される。また、この実施の形態３では、上述した弁３１は、汽水ドラム１１に繋がる既設給水経路、例えば既設給水管２６ａにおける流量指示計３３の下流側近傍に配置される。この場合、弁３１は、汽水ドラム１１に供給される水の流量を調節する。その他の構成は実施の形態１と同じであり、同一構成部分には同一符号を付している。
【００８６】
弁８１は、汽水ドラム１２に供給される水の流量を調節する。具体的には、弁８１は、制御装置８２によって駆動制御される自動弁であって、上述した追加給水経路（例えば追加給水管２６ｂにおける流量指示計３４の下流側近傍）に配置される。この場合、弁８１は、制御装置８２の制御に基づいて追加給水管２６ｂ内の水の流量を調節し、かかる水の流量の調節を通して汽水ドラム１２の内部水位を調節する。
【００８７】
制御装置８２は、弁８１の駆動を制御して汽水ドラム１２の内部水位を制御する。この場合、制御装置８２は、汽水ドラム１２から蒸気が出力されるとともに減少する汽水ドラム１２内部の水量を補うように弁８１の駆動を制御して追加給水管２６ｂ内の水の流量を調節する。制御装置８２は、かかる水の流量の調節を通して汽水ドラム１２の内部水位を所定の許容範囲内に制御する。具体的には、制御装置８２は、給水流量発信器３０からの信号をもとに汽水ドラム１１，１２に対する給水流量を把握し、蒸気流量発信器３６からの信号をもとに蒸気の総出力量を把握する。制御装置８２は、かかる蒸気流量発信器３６によって検出された蒸気の総出力量に相当する水のうちの必要量を汽水ドラム１２に供給するように、弁８１の駆動を制御して汽水ドラム１２への水の流量を調節する。この場合、制御装置８２は、水位発信器２９によって検出された内部水位をもとに弁８１の駆動を制御し、汽水ドラム１２の内部水位を制御する。
【００８８】
一方、制御装置３７は、上述したように、汽水ドラム１１，１２に対する給水流量と蒸気の総出力量とを把握するとともに、水位発信器２８によって検出された汽水ドラム１１の内部水位をもとに弁３１の駆動を制御する。この場合、制御装置３７は、この蒸気の総出力量に相当する水のうちの必要量を汽水ドラム１１に供給するように、弁３１の駆動を制御して汽水ドラム１１への水の流量を調節する。すなわち、制御装置３７は、汽水ドラム１１から蒸気が出力されるとともに減少する汽水ドラム１１内部の水量を補うように弁３１の駆動を制御して既設給水管２６ａ内の水の流量を調節する。このような水の流量の調節を通して、制御装置３７は、汽水ドラム１１の内部水位を制御する。
【００８９】
このように、制御装置３７，８２は、弁３１，８１の各駆動をそれぞれ制御して、複数の汽水ドラム１１，１２の各内部水位をそれぞれ個別に制御する。かかる制御装置３７，８２によって個別に制御された汽水ドラム１１，１２の各内部水位は、ボイラシステム３００の稼動期間において所定の許容範囲内の水位（例えば略一定の水位）にそれぞれ維持される。
【００９０】
なお、制御装置３７，８２は、汽水ドラム１１，１２の各内部水位をそれぞれ個別に監視し、これらの各内部水位の少なくとも一つが所定の許容範囲を外れた場合に警報を出力するように構成してもよい。これによって、例えば、給水管２６または蒸気出力管２７等の管詰まりあるいは破損、汽水ドラム１１，１２の破損等の異常を早期に発見することができる。
【００９１】
また、この発明の実施の形態３では、ボイラ２に対して２つの汽水ドラム１１，１２を接続した場合、すなわち、既設のボイラ２および汽水ドラム１１に対して追加した汽水ドラム１２が１つである場合を例示したが、この発明はこれに限定されるものではなく、既設のボイラ２および汽水ドラム１１に対して複数の汽水ドラムを追加してもよい。すなわち、１つのボイラ２に対して３つ以上の汽水ドラムが接続されてもよい。この場合、かかる複数の汽水ドラムの各汽水ドラムに対して制御装置をそれぞれ設置し、これら複数の制御装置が各汽水ドラムの内部水位をそれぞれ個別に制御するように構成すればよい。
【００９２】
さらに、この発明の実施の形態３では、既設給水管２６ａと追加給水管２６ｂとを溶接接合して給水管２６を形成し、既設給水管２６ａと追加給水管２６ｂとを溶接接合して給水管２６を形成していたが、この発明はこれに限定されるものではなく、上述した実施の形態２に例示されるように、接合部６５と弁６６とを備えた給水管５２を用いてもよいし、接合部６７と弁６８とを備えた出力５２を用いてもよい。すなわち、上述した実施の形態２，３を組み合わせて構成されたボイラシステムであってもよい。
【００９３】
以上、説明したように、この発明の実施の形態３では、１つのボイラに対し、配管によって複数の汽水ドラムを並列に接続し、かかる複数の汽水ドラムに対して蒸気と水とをそれぞれ供給するように構成した。また、これら複数の汽水ドラムのそれぞれに対して制御装置を設け、これらの各制御装置が複数の汽水ドラムの各内部水位をそれぞれ個別に制御するように構成した。このため、既設のボイラおよび汽水ドラムに対し、蒸気出力量の増加分を十分に補える容量を有する汽水ドラムを必要数追加することができる。この結果、既設の汽水ドラムを撤去せずに必要な容量の汽水ドラムを増設でき、配管によってボイラに接続される汽水ドラムの全容量を簡易に増加できるボイラシステムを実現することができる。
【００９４】
この実施の形態３にかかるボイラシステムでは、かかる必要な容量の汽水ドラムを追加する場合、既設の汽水ドラムおよび配管を撤去する必要がなく、追加の汽水ドラムを接続するために必要な配管を既設の配管または既設の汽水ドラムに追加接合すればよい。このため、汽水ドラムの増設工事に伴うボイラシステムの稼働停止期間（操業停止期間）を可能な限り短縮できるとともに、短期間で必要な容量の汽水ドラムを追加できる。
【００９５】
また、蒸気出力量の増加に対応した大型の汽水ドラムを既設の汽水ドラムに代えて設置することなく、必要な容量を有する小型の汽水ドラムを追加すればよいので、汽水ドラムの増設に掛かる手間を低減できるとともに、このような大型の汽水ドラムの製作費用と設置に掛かる手間とを省くことができる。
【００９６】
なお、上述した実施の形態１〜３は、この発明を具体化した例であって、本願発明の技術的範囲を限定するものではない。例えば、この発明にかかるボイラシステムのボイラ２に熱源を供給する炉は、溶融炉に限定されず、焼却炉等の各種態様の炉であってもよいし、火力または電力等によって熱源を発生させる炉であってもよいし、化学反応によって熱源を発生させる炉であってもよい。また、このボイラ２は、廃熱ボイラに限定されず、固体燃料または液体燃料を用いて蒸気を生成するボイラであってもよい。
【００９７】
また、この発明にかかるボイラシステムは、上述した発電プラント１０１、蒸気式空気予熱器１１０、および工場１２０に限らず、熱源または動力源等に蒸気を用いる各種施設に蒸気を出力（供給）してもよい。また、この発明にかかるボイラシステムによって出力される蒸気は、外部（所望の客先）に販売される場合もある。
【図面の簡単な説明】
【００９８】
【図１】この発明の実施の形態１にかかるボイラシステムの一構成例を模式的に示すブロック図である。
【図２】この発明の実施の形態１にかかるボイラシステムの汽水分離部の一構成例を示す模式図である。
【図３】複数の汽水ドラムの各気相空間を連通する配管状態および各液相空間を連通する配管状態の一例を示す模式図である。
【図４】複数の汽水ドラムの各気相空間を連通する配管状態および各液相空間を連通する配管状態の別の一例を示す模式図である。
【図５】この発明の実施の形態２にかかるボイラシステムの一構成例を模式的に示すブロック図である。
【図６】この実施の形態２にかかるボイラシステムの汽水分離部の一構成例を示す模式図である。
【図７】この発明の実施の形態３にかかるボイラシステムの一構成例を模式的に示すブロック図である。
【図８】この実施の形態３にかかるボイラシステムの汽水分離部の一構成例を示す模式図である。
【符号の説明】
【００９９】
１  溶融炉
２  ボイラ
３，４３，７３  汽水分離部
４  給水ポンプ
５  循環ポンプ
１１〜１３  汽水ドラム
２０，２１，４０，４１  連通管
２０ａ，２０ｂ，２１ａ，２１ｂ  連絡管
２２，２３  汽水流通管
２４，２５  循環管
２６  給水管
２６ａ  既設給水管
２６ｂ  追加給水管
２７  蒸気出力管
２７ａ  既設蒸気出力管
２７ｂ  追加蒸気出力管
２８，２９  水位発信器
３０  給水流量発信器
３１，３５，８１  弁
３２  ヒータ
３３，３４  流量指示計
３６  蒸気流量発信器
３７，８２  制御装置
５０，５１  連通管
５０ａ，５０ｂ，５１ａ，５１ｂ  連絡管
５２  給水管
５２ａ  既設給水管
５２ｂ  追加給水管
５３  蒸気出力管
５３ａ  既設蒸気出力管
５３ｂ  追加蒸気出力管
６１，６３，６５，６７  接合部
６２，６４，６６，６８  弁
１００，２００，３００  ボイラシステム
１０１  発電プラント
１０２  過熱器
１０３  蒸気タービン
１１０  蒸気式空気予熱器
１２０  工場
Ｂ１，Ｂ２  分岐点
Ｃ１〜Ｃ４  接合部
【図１】
2007232238.tif 000003
【図２】
2007232238.tif 000004
【図３】
2007232238.tif 000005
【図４】
2007232238.tif 000006
【図５】
2007232238.tif 000007
【図６】
2007232238.tif 000008
【図７】
2007232238.tif 000009
【図８】
2007232238.tif 000010